(57)【要約】【課題】  簡単な構造の金型で成形することができ、小箱等内に簡単に収納することができ、また、ヒンジに対しての負担を軽くし、スプーンを広げたり、折りたたんだりを繰り返しても、簡単にスプーン部と延長柄とが切り離されることがない折りたたみスプーンを提供すること。【解決手段】  スプーン部と延長柄とからなる折りたたみスプーンにおいて、スプーン部は、板状の柄部と掬い部とを具え、延長柄は、連結柄部と、連結柄部の両側端部から該柄部の側面に平行に延びる側柄部と、両方の側柄部の端部に連設され、掬い部の上部を収納する形状に形成される掬い部収納柄部とを具えた中抜きされた板状に形成され、柄部の端部と連結柄部の内方部とをヒンジを介して連結し、延長柄の内方に隙間を設けてスプーン部を収納する形状に一体成形されていることを特徴とする。【選択図】  図１
2013027555.tif 000002
【特許請求の範囲】
【請求項１】
スプーン部と延長柄とからなる折りたたみスプーンにおいて、
スプーン部は、板状の柄部と掬い部とを具え、
延長柄は、連結柄部と、連結柄部の両側端部から該柄部の側面に平行に延びる側柄部と、両方の側柄部の端部に連設され、掬い部の上部を収納する形状に形成される掬い部収納柄部とを具えた中抜きされた板状に形成され、
柄部の端部と連結柄部の内方部とをヒンジを介して連結し、延長柄の内方に隙間を設けてスプーン部を収納する形状に一体成形されていることを特徴とする折りたたみスプーン。
【請求項２】
スプーン部の柄部のヒンジ側の下面に嵌合突部が配設され、
連結柄部の中央部には、スプーン延長時に、嵌合突部を嵌入する嵌合孔が配設されていることを特徴とする請求項１記載の折りたたみスプーン。
【発明の詳細な説明】
【技術分野】
【０００１】
本発明は、折りたたみスプーン、とくに小箱等に収納する折りたたみスプーンに関するものである。
【背景技術】
【０００２】
粉末の医療品、栄養剤などを計量したり、食品等を掬うスプーンとして、容器内または容器を収納する小箱内等にスプーンを一緒に収納することがある。
その際、スプーンの長さが小箱等の長さより長いと、一緒に収納できないので、最小の柄部を持つスプーン部と、柄部を延長する延長柄との二つの部材に分けて小箱内に収納するようにした組み立てスプーンは周知である。
【０００３】
また、周知の組み立てスプーンでは、使用するときに、二つの部材を探して組み立てるという手間が掛かるということから、スプーン部と延長柄とをヒンジを介して一体成形し、小箱内等に一緒に収納する際に、ヒンジを介して折りたたんで小型化するようにした折りたたみスプーンは従来より知られている（例えば、特許文献１参照）。
【先行技術文献】
【特許文献】
【０００４】
【特許文献１】実開昭６３−１０３４７６号公報
【発明の概要】
【発明が解決しようとする課題】
【０００５】
しかしながら、上記特許文献１記載の折りたたみスプーンでは、金型で成形する際に、延長柄（延長部６）に凹部と、スプーン部（柄部本体４）に凹部に嵌合する凸部を成形するために、金型の形状が、延長柄（延長部６）をスプーン部（柄部本体４）に対して、ほぼ一直線から９０°位の範囲で広げた状態のものでなくてはならず、金型の構造自体が複雑なものになっていた。
【０００６】
また、延長柄（延長部６）をスプーン部（柄部本体４）に対して、ほぼ一直線から９０°位の範囲で広げた状態で成形されるので、小箱等内に収納する際に、延長柄（延長部６）をスプーン部（柄部本体４）に対してヒンジを介して折りたたんだ後に収納しなくてはならず、生産時に手間が掛かっていた。
【０００７】
さらに、収納時にヒンジを折り曲げるので、ヒンジに対して負担となり、スプーンを使用するためにヒンジを広げたり、折り曲げたりを繰り返すうちに、ヒンジが劣化し、簡単に破損して、スプーン部と延長柄が離れてしまうこともあった。
【０００８】
本発明は、上記問題を解決することを課題とし、簡単な構造の金型で成形することができ、小箱等内に簡単に収納することができ、また、ヒンジに対しての負担を軽くし、スプーンを広げたり、折りたたんだりを繰り返しても、簡単にスプーン部と延長柄とが切り離されることがない折りたたみスプーンを提供することを目的とする。
【課題を解決するための手段】
【０００９】
本発明は、上記課題を解決するため、折りたたみスプーンとして、スプーン部と延長柄とからなる折りたたみスプーンにおいて、スプーン部は、板状の柄部と掬い部とを具え、延長柄は、連結柄部と、連結柄部の両側端部から該柄部の側面に平行に延びる側柄部と、両方の側柄部の端部に連設され、掬い部の上部を収納する形状に形成される掬い部収納柄部とを具えた中抜きされた板状に形成され、柄部の端部と連結柄部の内方部とをヒンジを介して連結し、延長柄の内方に隙間を設けてスプーン部を収納する形状に一体成形されていることを特徴とする構成を採用する。
【００１０】
スプーン部と延長柄の実施例として、スプーン部の柄部のヒンジ側の下面に嵌合突部が配設され、連結柄部の中央部には、スプーン延長時に、嵌合突部を嵌入する嵌合孔が配設されていることを特徴とする構成を採用する。
【発明の効果】
【００１１】
本発明の折りたたみスプーンは、成形する際に、スプーン部に対して延長柄を折りたたんだ状態で成形されるので、小箱等に収納する際に、成形時の状態のまま収納することができ、スプーン部と延長柄を組み立てたり、折りたたんだりする等の手間を省くことができる。
また、成形後に、ヒンジを折り曲げることなく、そのまま小箱等に収納されることにより、ヒンジに負担が掛からない。
【００１２】
本発明の折りたたみスプーンは、ほぼ平板状の形状であるので、全体を成形する金型の構造が、平型となり、また、折りたたみスプーンを折りたたんだ状態で一回の成形でできるので、生産性もよい。
【図面の簡単な説明】
【００１３】
【図１】本願発明の折りたたみスプーンの折りたたみ時の説明図で、（ａ）は上面図、（ｂ）は断面側面図である。
【図２】本願発明の折りたたみスプーンの使用時の説明図で、（ａ）は上面図、（ｂ）は断面側面図である。
【発明を実施するための形態】
【００１４】
次に、本発明の折りたたみスプーンについて、実施形態を図面を参照して説明する。
図１、２において、Ａはスプーン部、Ｂは内方にスプーン部Ａを収納する形状にヒンジＣを介して一体成形される延長柄である。
【００１５】
スプーン部Ａは、片端にヒンジＣを連設し、反対側に延びる板状の柄部１と、柄部１のヒンジＣの反対側に連設され、内容物を掬うように下方に窪む形状に形成された掬い部２とからなっている。
【００１６】
柄部１のヒンジＣ側の下面には、嵌合突部３が配設されている。
【００１７】
延長柄Ｂは、内方に隙間ａを設けてスプーン部Ａを収納するように中抜きされた柄部１の厚さと同じ厚さの板状に形成されている。
【００１８】
延長柄Ｂは、内方が柄部１とヒンジＣを介して連設される連結柄部５と、連結柄部５のヒンジＣ側の両側端部から柄部１の側面に平行に延びる側柄部６と、両方の側柄部６の端部に連設され、掬い部２の上部を収納する形状に形成される掬い部収納柄部７とを具えている。
【００１９】
連結柄部５の中央部には、スプーン延長時に、柄部１の嵌合突部３を嵌入する嵌合孔８が配設されるとともに、嵌合孔８付近の剛性を確保するためにヒンジＣの反対側に膨出する凸部９が形成されている。
【００２０】
ヒンジＣは、スプ−ン部Ａの柄部１の端部側面と、延長柄Ｂの連結柄部５の内方側面との互いの下部を連結するとともに、好ましくは、スプ−ン部Ａに対して延長柄Ｂの連結柄部５の凸部９側が下方に廻動し易いように形成されている。
【００２１】
次に、本実施形態の作用効果について説明する。
本発明の折りたたみスプーンを成形する際には、図１に示すように、折りたたんだ状態で成形される。
本発明の折りたたみスプーンを小箱等に収納する際には、成形時の状態のまま収納することができる。
【００２２】
折りたたんだ状態で成形し、そのまま小箱等に収納することができるので、折りたたみスプーンを成形後、折り曲げて収納したり、スプーン部Ａと延長柄Ｂを別体で形成し収納したり、スプーン部Ａと延長柄Ｂを組み立てたりする等の手間を省くことができ、生産性がよい。
【００２３】
また、ヒンジＣを成形時のまま、折り曲げないで小箱等に収納できるので、従来のように、小箱等に収納するためにヒンジ部を折り曲げることがなく、ヒンジ部に負担が掛からず、スプーンとして使用するために、折りたたみスプーンを伸ばした際にヒンジ部が負担による劣化で切れてしまうことがない。
【００２４】
本発明の折りたたみスプーンは、スプーン部Ａの掬い部２を除いてほぼ平板状の形状であり、また、掬い部２自体も簡単な形状であるので、全体を成形する金型が、簡単な平型にでき、成形性がよい。
また、折りたたみスプーンを折りたたんだ状態で一回の成形でできるので、生産性もよい。
【００２５】
本発明の折りたたみスプーンを使用する際には、まず、延長柄Ｂの掬い部収納柄部７の先端部に指を掛けて持ち上げ、延長柄ＢをヒンジＣを介してスプーン部Ａに対して廻動させていく。
【００２６】
最後に、図２に示すように、ヒンジＣを介して延長柄Ｂをスプーン部Ａに対して１８０度廻動させるとともに、スプーン部Ａの嵌合突部３を、延長柄Ｂの連結柄部５の嵌合孔８内に嵌合させる。
【００２７】
本発明の折りたたみスプーンは、スプーン部Ａの嵌合突部３と延長柄Ｂの連結柄部５の嵌合孔８との嵌合、および、ヒンジＣによる連結により、スプーン部Ａに対して延長柄Ｂが強固に嵌合され、柄を延長したスプーンとして使用することができる。
【産業上の利用可能性】
【００２８】
本発明の折りたたみスプーンは、簡単な金型により、折りたたんだ状態で成形でき、そのまま小箱等に収納することができるので折りたたみスプーンとして広く利用することができる。
【符号の説明】
【００２９】
Ａ      スプーン部
Ｂ      延長柄
Ｃ      ヒンジ
ａ      隙間
１      柄部
２      掬い部
３      嵌合突部
５      連結柄部
６      側柄部
７      掬い部収納柄部
８      嵌合孔
９      凸部
【図１】
2013027555.tif 000003
【図２】
2013027555.tif 000004